(57)【要約】【課題】一般的なスケジュール管理に加えてブラウザ機能、情報の自動更新機能、ファイルのダウンロード及びビルトイン機能を備え、双方向のコミュニケーションを実現する。【解決手段】本発明の一態様は、スケジュール管理を行うための第１の機能と、Ｗｅｂサイトの閲覧を行うための第２の機能と、情報を自動更新するための第３の機能と、少なくともスキンとリフィルのいずれかを含む情報をダウンロードし組み込むための第４の機能と、を備えた制御プログラムを制御部が実行することで実現されるデジタルシステム手帳であって、上記制御部が上記第４の機能により所定のＷｅｂサイトのＵＲＬを含むデジタル指標データを取得し、当該デジタル指標を表示部に表示し、操作入力部の操作により当該デジタル指標が選択された場合には、上記第２の機能により当該デジタル指標が含むＵＲＬにアクセスするように制御する、ことを特徴とするデジタル電子手帳である。【選択図】図１
2006301686.tif 000002
【特許請求の範囲】
【請求項１】
スケジュール管理を行うための第１の機能と、Ｗｅｂサイトの閲覧を行うための第２の機能と、情報を自動更新するための第３の機能と、少なくともスキンとリフィルのいずれかを含む情報をダウンロードし組み込むための第４の機能と、を備えた制御プログラムを制御部が実行することで実現されるデジタルシステム手帳であって、
上記制御部が上記第４の機能により所定のＷｅｂサイトのＵＲＬを含むデジタル指標データを取得し、当該デジタル指標を表示部に表示し、操作入力部の操作により当該デジタル指標が選択された場合には、上記第２の機能により当該デジタル指標が含むＵＲＬにアクセスするように制御する、ことを特徴とするデジタル電子手帳。
【請求項２】
上記制御部は、上記第３の機能により配信されたニュースの情報を受信し、上記第１の機能によるスケジュール管理の画面の中で当該ニュースを併せて閲覧可能とすることを更に特徴とする請求項１に記載のデジタル電子手帳。
【請求項３】
少なくともユーザ端末とサービス提供者のサーバとがネットワークを介して通信自在となっているコミュニケーションシステムにおいて、
上記ユーザ端末は、スケジュール管理を行うための第１の機能と、Ｗｅｂサイトの閲覧を行うための第２の機能と、情報を自動更新するための第３の機能と、少なくともスキンとリフィルのいずれかを含む情報をダウンロードし組み込むための第４の機能と、を備えた制御プログラムを実行する制御部を有し、
上記制御部が上記制御プログラムに基づき動作することで実現されるデジタルシステム手帳を媒介として、上記サーバと上記ユーザ端末との間のコミュニケーションを行なうことを特徴とするコミュニケーションシステム。
【請求項４】
上記制御部が上記第４の機能により上記サーバのＷｅｂサイトのＵＲＬを含むデジタル指標データを上記サーバより取得し、当該デジタル指標を表示部に表示し、操作入力部の操作により当該デジタル指標が選択された場合には、上記第２の機能により当該デジタル指標が含む上記サーバのＵＲＬにアクセスするように制御する、ことを更に特徴とする請求項３に記載のコミュニケーションシステム。
【発明の詳細な説明】
【技術分野】
【０００１】
本発明は、個人情報の管理をはじめとする様々な付加機能を備えるデジタルシステム手帳及びそれを用いたコミュニケーションシステムに関する。
【背景技術】
【０００２】
今日、個人情報の管理は、従前の紙媒体のシステム手帳による管理からＰＤＡや個人情報管理ソフトウェア等のデジタル媒体（電子手帳と称する）を用いた管理へと移行しており、種々の製品が市場に出回っている。そして、最近では、この電子手帳がネットワーク機能を備え、当該機能により各種情報の配信を受けることも可能となっている。
【０００３】
例えば、特許文献１では、スケジュールの管理画面と情報配信画面を一つの画面で一括管理ができる技術が開示されている。さらに、特許文献２では、グループウエアや個人等のスケジュール管理が一括でできるインターネットを利用した技術が開示されている。同文献２では、イベント情報記憶領域に事前に登録した所定のカテゴリに属するイベント情報の書込みを許可する旨が記載されている。そして、このイベント情報としては、電子手帳の外からネットワークを通じてチケット販売予定や商品販売予定のスケジュール情報を外部の企業サーバから書き込むことが想定されている。
【特許文献１】特開平９−１６７１３８号公報
【特許文献２】特開２００４−５４７９９号公報
【発明の開示】
【発明が解決しようとする課題】
【０００４】
しかしながら、特許文献１に係る技術では、所望とする情報をユーザ自身がスケジュール画面に埋め込むためには煩雑な作業が必要となる。さらに、特許文献２に係る技術では事前にカテゴリを登録するための煩雑な作業が必要となる。
【０００５】
本発明の目的とするところは、スケジュール管理機能、ブラウザ機能、情報の自動更新機能、ファイルのダウンロード及びビルトイン機能を備え、ユーザに煩雑な作業を課すことなく双方向のコミュニケーションを実現するデジタルシステム手帳及びそれを用いたコミュニケーションシステムを提供することにある。
【課題を解決するための手段】
【０００６】
上記目的を達成するために、本発明の第１の態様では、スケジュール管理を行うための第１の機能と、Ｗｅｂサイトの閲覧を行うための第２の機能と、情報を自動更新するための第３の機能と、少なくともスキンとリフィルのいずれかを含む情報をダウンロードし組み込むための第４の機能と、を備えた制御プログラムを制御部が実行することで実現されるデジタルシステム手帳であって、上記制御部が上記第４の機能により所定のＷｅｂサイトのＵＲＬを含むデジタル指標データを取得し、当該デジタル指標を表示部に表示し、操作入力部の操作により当該デジタル指標が選択された場合には、上記第２の機能により当該デジタル指標が含むＵＲＬにアクセスするように制御する、ことを特徴とするデジタル電子手帳が提供される。
【０００７】
また、本発明の第２の態様では、上記第１の態様において、上記制御部は上記第３の機能により配信されたニュースの情報を受信し、上記第１の機能によるスケジュール管理の画面の中で当該ニュースを併せて閲覧可能とすることを更に特徴とするデジタル電子手帳が提供される。
【０００８】
さらに、本発明の第３の態様では、少なくともユーザ端末とサービス提供者のサーバとがネットワークを介して通信自在となっているコミュニケーションシステムにおいて、上記ユーザ端末は、スケジュール管理を行うための第１の機能と、Ｗｅｂサイトの閲覧を行うための第２の機能と、情報を自動更新するための第３の機能と、少なくともスキンとリフィルのいずれかを含む情報をダウンロードし組み込むための第４の機能と、を備えた制御プログラムを実行する制御部を有し、上記制御部が上記制御プログラムに基づき動作することで実現されるデジタルシステム手帳を媒介として、上記サーバと上記ユーザ端末との間のコミュニケーションを行なうことを特徴とするコミュニケーションシステムが提供される。
【０００９】
そして、本発明の第４の態様では、上記第３の態様において、上記制御部が上記第４の機能により上記サーバのＷｅｂサイトのＵＲＬを含むデジタル指標データを上記サーバより取得し、当該デジタル指標を表示部に表示し、操作入力部の操作により当該デジタル指標が選択された場合には、上記第２の機能により当該デジタル指標が含む上記サーバのＵＲＬにアクセスするように制御する、ことを更に特徴とするコミュニケーションシステムが提供される。
【発明の効果】
【００１０】
本発明によれば、スケジュール管理、ブラウザ機能、情報の自動更新機能、ファイルのダウンロード及びビルトイン機能を備え、ユーザに煩雑な作業を課すことなく双方向のコミュニケーションを実現するデジタルシステム手帳及びそれを用いたコミュニケーションシステムを提供することができる。
【発明を実施するための最良の形態】
【００１１】
以下、図面を参照して本発明の実施の形態について説明する。
【００１２】
図１には、本発明の一実施の形態に係るデジタルシステム手帳及びそれを用いたコミュニケーションシステムの構成を示し、詳細に説明する。
【００１３】
この図１に示されるように、ユーザ５０の複数のユーザ端末１ａ，１ｂ，１ｃ…（以下では、これらを総称する場合には符号１を用いる）は、それぞれがインターネット４を介してサービス提供者５１のサーバ２、クライアント企業５２のサーバ３と通信自在となっている。ユーザ端末１ａは、更に詳細には通信制御部１１と制御部１２、表示部１３、操作入力部１４、記憶部１５を備える。この制御部１２は少なくとも第１乃至第４の機能１２１ａ乃至１２１ｄを実現するための制御プログラム１２１に基づいて各種の制御を行うことになる。この構成は、ユーザ端末１ｂ，１ｃ…についても同様である。サービス提供者５１のサーバ２は、クライアント企業５２から提供されたコンテンツやユーザのログ情報等を蓄積するデータベース２ａを備えている。
【００１４】
ここで、本発明の一実施の形態に係るデジタルシステム手帳とは、ユーザ端末１ａの制御プログラム１２１により実現されるものであるので、その実態は制御プログラム１２１である。そして、この実施の形態に係るコミュニケーションシステムとは、制御プログラム１２１をインストールしたユーザ端末１ａとサーバ２及びサーバ３の任意の組み合わせにより実現される。但し、これらの関係に限定されるものではない。
【００１５】
このような構成において、ユーザ端末１ａが起動され、操作入力部１４が操作されて制御部１２が制御プログラム１２１に基づく動作を開始すると、制御部１２は表示部１３上にデジタルシステム手帳５３を表示する。以降、ユーザ端末１ａは、このデジタルシステム手帳５３を媒介としてサービス提供者５１のサーバ２の提供するデジタルシステム手帳用Ｗｅｂサイト、或いはクライアント企業５２のサーバ３が提供するプロモーション用Ｗｅｂサイトにアクセスし、各種情報の送受信、インタラクティブなやりとりを行う。
【００１６】
これをサービス提供者５１やクライアント企業５２の立場に立って換言すると、サーバ２，３は、デジタルシステム手帳を媒介として、ユーザ５０のユーザ端末１ａに対して、各種のプロモーション、例えばイベント（各種教室、講演会、見学会等）に関する情報の提供や申し込みの機会を与える。或いは、ユーザ端末１ａがサービス提供者５１のサーバ２、或いはクライアント企業５２のサーバ３に提供した情報の見返りとして、当該ユーザ５０にノベルティを提供するための環境を実現する。つまり、本システムによれば、デジタルシステム手帳５３を媒介としたリアルプロモーションとの連動（例えば、Ｗｅｂサイトでの情報提供とイベントとの連動）も図られる。
【００１７】
ここで、図２の概念図を参照して、上記制御プログラム１２１の第１乃至第４の機能について、更に具現化した一例を詳細に説明する。第１の機能１２１ａは、スケジュールやカレンダー、メモ、シールといったデジタルシステム手帳の機能に、スキン（手帳デザイン）追加変更機能、リフィル追加変更機能及び絵日記作成機能を加えたものとして定義される。第２の機能１２１ｂは、ブラウザ機能である。第３の機能１２１ｃは情報の自動更新機能である。第４の機能１２１ｄはファイル（スキン・リフィル等）のダウンロード／手帳へのビルトイン機能である。上記第１の機能１２１ａのスキン追加変更機能とリフィル追加変更機能は、この第４の機能１２１ｄによりダウンロードされたスキン、リフィルを基礎とするものである。但し、これらの関係に限定されるものではない。
【００１８】
このデジタルシステム手帳では、第１の機能１２１ａのスキン追加変更機能によりスキン（手帳のデザイン）をモジュールとして自由に変えることができるので、プロモーションに合わせて手帳のデザインを変更することができる。リフィルは、通常のシステム手帳のような感覚で、様々なツールを手帳に追加できる機能である。第１の機能１２１ａのリフィル追加変更機能によれば、デジタルの特性を活かしたソフトウェアやアニメーション、映像等をリフィルの形式でデジタルシステム手帳５３に追加することができる。
【００１９】
以下、図３乃至図８を参照して、デジタルシステム手帳５３の上記機能に対応した各種画面の構成例及び各画面でのオペレーション等について詳細に説明する。
【００２０】
図３は日間スケジュール画面１００を示している。即ち、この日間スケジュール画面１００には、画面左方にヘッダ入力領域１０１、シール領域１０２、画像選択ボタン１０３、本文テキスト入力領域１０４が設けられている。ヘッダ入力領域１０１に入力されたヘッダテキストは、後述する週間スケジュール画面１０１の表示時にも見出しとして表示される。シール領域１０２には、後述するＵＲＬ情報付きのシールが貼付けられる。画像選択ボタン１０３がクリックされると、ここでは不図示の貼り込み写真等を選択するダイアログが表示される。ダイアログ表示時には、画面１００を一時最小化してもよい。このダイアログで選択された画像は、画像領域１０６に貼り込みされる。本文テキスト入力領域１０４には、各日別のスケジュールや日記等、個人的な情報が書き込みされる。これらは制御プログラム１２１の第１の機能１２１ａ、特にデジタルシステム手帳機能（スケジュール管理機能を含む、以下同じ）により実現される。以上のほか、ニュース表示領域１０５が設けられており、制御プログラム１２１の第３の機能１２１ｃ、特に情報の自動更新機能によりサーバ２，３から配信される情報に基づいて、当該日に対応するニュースが表示される。このニュース表示領域１０５では、ニュースを右から左へスクロールして全文を流し見することもできる。
【００２１】
図４は週間スケジュール画面２００を示している。即ち、この週間スケジュール画面２００には、画面左方にシール領域２０１とヘッダ入力領域２０２、ニュース表示領域２０３が設けられている。このシール領域２０１は、各日毎の日別スケジュール画面１００のシール領域１０２に対応するもので、同じシールが貼付けられる。ヘッダ入力領域２０２は各日毎の日別スケジュール画面１００のヘッダ入力領域１０１に対応するもので、同領域１０１にヘッダが入力されている場合には、同じヘッダが表示される。これらは、制御プログラム１２１の第１の機能１２１ａ、特にデジタルシステム手帳機能により実現されるものである。このほか、ニュース表示領域２０３には、制御プログラム１２１の第３の機能１２１ｃ、特に情報の自動更新機能によりサーバ２，３から配信される情報に基づいて、当該日に対応するニュースが表示される。このニュース表示領域２０３では、ニュースを右から左へスクロールして全文を流し見することもできる。
【００２２】
図５は月間スケジュール画面３００を示している。即ち、この月間スケジュール画面３００には、画面左方に各日間スケジュール画面１００への切り換えを指示するための第１切換ボタン３０１、シール領域３０２、週間スケジュール画面２００への切り換えを指示するための第２切換ボタン３０３が設けられている。第１切替ボタン３０１は各日の覧に設けられている。第２切替ボタン３０３は各週の覧の下段に渡り、バー状に設けられている。所望とする日の第１切換ボタン３０１をクリックすると、その日の日間スケジュール画面１００に表示が切り換えられ、第２切換ボタン３０３をクリックすると、その週の週間スケジュール画面２００に表示が切り換られる。これらは、制御プログラム１２１の第１の機能１２１ａ、特にデジタルシステム手帳機能により実現されるものである。尚、シール領域３０２には、画面１００，２００のシール領域１０２，２０１に貼り付けられたシールが表示されている。
【００２３】
図６は第１の機能１２１ａのリフィル追加変更機能により表示されるリフィル設定画面４００を示している。即ち、このリフィル設定画面４００では、閉じボタン４０１、スクロールバー４０２、適用ボタン４０３、削除ボタン４０４、小リフィル名表示領域４０５、中リフィル名表示領域４０６が少なくとも表示されている。同画面４００において、中リフィル表示領域４０６、小リフィル表示領域４０５の中で所望とするリフィル名を選択した上で適用ボタン４０３をクリックすると当該選択されたリフィルが表示設定に反映される。また、この画面４００において、中リフィル表示領域４０６、小リフィル表示領域４０５の中で削除を所望とするリフィル名を選択した上で削除ボタン４０４をクリックすると、不図示の削除確認ダイアログを表示した後、当該ダイアログで「はい」がクリックされると、当該選択されたリフィルが削除されることになる。このリフィルリストのリフィルは制御プログラム１２１ｄの第４の機能によりサーバ２よりダウンロードし、デジタルシステム手帳にビルトインすることができる。また、制御プログラム１２１の第３の機能１２１ｃに含まれる情報の自動更新機能により、サーバ２側から能動的に働きかけ、リフィルの追加を促すことも可能である。
【００２４】
図７は第１の機能１２１ａのスキン追加変更機能により表示されるスキン設定画面５００を示している。即ち、このスキン設定画面５００では、各種のスキンが選択可能に表示されている。この中から所望とするスキンを選択して適用することが可能である。このスキンは制御プログラム１２１ｄの第４の機能によりサーバ２よりダウンロードし、デジタルシステム手帳にビルトインすることができる。また、制御プログラム１２１の第３の機能１２１ｃに含まれる情報の自動更新機能により、サーバ２側から能動的に働きかけ、スキンの追加を促すことも可能である。
【００２５】
図８は第１の機能１２１ａのデジタルシステム手帳機能による絵日記の作成について示す概念図である。この図８に示されるように、絵日記作成画面６００では、画像作成領域６０１と、メニューボタン６０５、適用ボタン６０３、カラーパレット６０４等が表示されている。この絵日記作成画面６００上で、カラーパレット６０４等を用いながら所望とする画像を作成することができ、適用ボタン６０３を作成後にクリックすると、当該画像が適用されることになる。尚、ここでは、日間スケジュール画面１００に適用可能なサイズの画像を作成する際の画像作成領域６０１を表示しているが、これに限定されることなく画像作成領域６０１をフルサイズの領域を表示することも可能であることは勿論である。デジタルシステム手帳が絵日記を作成する機能を備えている点はこの実施の形態の一つの特徴点である。この第１の機能１２１ａによる絵日記の作成と後述するシールとの組み合わせにより、更なるコミュニケーションの円滑化を図ることも可能である。
【００２６】
以上、本実施の形態に係るデジタルシステム手帳による各種画面表示、及び当該画面表示と制御プログラム１２１の機能との関係を述べたが、ユーザ端末１ａの記憶部１５には上述した機能を実現するために、図９に示されるような階層構造で各種の情報が蓄積されている。即ち、プログラムファイルのSkidsフォルダの下層には、少なくともデフォルトのファイル（Defaultフォルダ）、リフィルのファイル（Refillsフォルダ）、スキンのファイル（Skinsフォルダ）が格納されている。更に詳細には、Refillsフォルダの下層には、インターネット４を介してダウンロードした各種データ（Internetフォルダ）、シールや作成した画像のデータ（Toolフォルダ）、配信されたニュースやイベント案内等に係るデータ等（Amuseフォルダ）が格納されている。
【００２７】
ここで、図１０を参照して、本実施の形態に係るデジタルシステム手帳５３及びそれを用いたコミュニケーションシステムを用いた実施例について更に詳細に述べる。
【００２８】
図１０に示されるように、前述した日間スケジュール画面の領域７００のシール領域７００ａには、サーバ２側から配信されたシールが貼付けられる。ここで、特徴的なのは当該シールがサーバ２のデジタルシステム手帳用Ｗｅｂサイト、或いはサーバ３のプロモーション用ＷｅｂサイトのＵＲＬの情報を含んでいる点である。ユーザが、操作入力部１４を操作して、この領域７００のシール領域７００ａに貼付けられているシールをクリックすると、ユーザ端末１ａの制御部１２の制御プログラム１２１の第２の機能１２１ｂのブラウザ機能によりサーバ２またはサーバ３のＷｅｂサイトにアクセスし、当該サーバ２又はサーバ３から配信されるファイルに基づいて、例えば画面７０１或いは画面７０２を表示する。画面７０１としては、手帳利用者専用のＷｅｂページが表示される。画面７０２としては、手帳利用者に特別情報を提供すると共に、申し込み等のアクションを実現するＷｅｂページが表示されることになる。このようなシールは、セグメント化された会員プロフィール（データベース２ａにて管理）に合わせて、サーバ２がピンポイントで配布することができる点も特徴点の一つである。例えば、ゴルフのリフィル、スキンやシールを取得したユーザをサーバ２がデータとして管理し、当該ユーザのユーザ端末１にゴルフ関連のＵＲＬを含んだシールを適宜送信（配信）することができる。
【００２９】
以下、図１１のフローチャート及び図１２の概念図を参照して、クライアント企業として学習塾を想定し、当該学習塾とユーザとのコミュニケーションを本コミュニケーションシステムにより実現する場合のユーザ端末１側の処理の流れを説明する。
【００３０】
図１２（ａ）に示されるように、制御部１２は、制御プログラム１２１の第４の機能１２１ｄのファイルのダウンロード／手帳へのビルトイン機能により、リフィルとしてサーバ２の提供するデジタルシステム手帳用Ｗｅｂサイトから宿題ファイルをダウンロードすると（ステップＳ１）、当該宿題ファイルに基づく宿題画面を表示部１３に表示する（ステップＳ２）。そして、図１２（ｂ）に示されるように、操作入力部１４の操作入力により宿題に対する解答の入力を受付けると（ステップＳ３）、通信制御部１１を介して当該解答データをサーバ２に送信する（ステップＳ４）。サーバ２は、この解答データを受信すると、解答受信済みの電子スタンプのデータを送信することになるが、ユーザ端末１は、当該電子スタンプのデータを受信すると、制御部１２は当該データを記憶部１５に記憶し（ステップＳ５）、図１２（ｃ）に示されるように、表示部１３に当該電子スタンプと当該電子スタンプを取得した旨を表示する（ステップＳ６）。こうして、全ての問題に対して解答済みであるか否かを電子スタンプの取得情報から判断し（ステップＳ７）、全て解答済みでない場合には、本処理を終了する。一方、図１２（ｄ）に示されるように、制御部１２が全ての問題に対して解答済みであると判断した場合において、ノベルティ請求ボタンがクリックされると（ステップＳ８）、請求データをサーバ２に送信し（ステップＳ９）、本処理を終了することになる。この請求データをサーバ２が受信すると、ユーザに対してノベルティの郵送等の手続きをサービス提供者に促すことになる。
【００３１】
この例では、上記電子スタンプ（あるいはシール）を貯めるメタファを利用し、ポイントの加算がユーザ端末上で把握できるシールや電子スタンプを用いている点に特徴の一つがあり、これにより、サーバにアクセスしなくてもポイントの加算状況がユーザにとってもわかりやすいので、容易に利用できるというメリットがある。
【００３２】
尚、図１３に示されるように、上記電子スタンプの情報にユーザへのアドバイス表示用のデータを含め、当該電子スタンプがクリックされた場合に、当該アドバイス表示用の画面を表示部１３に表示するようにしてもよい。
【００３３】
尚、請求項に記載のデジタル指標とは、上記ＵＲＬなどの情報を含むシールや電子スタンプなどを含む広い概念である。
【００３４】
以上説明したように、この実施の形態に係るデジタルシステム手帳によれば、ユーザとサービス提供者或いはクライアント企業との間のコミュニケーションの円滑化が図られることになる。より詳細には、クライアント企業から託された各種情報をニュースといった形でサービス提供者から能動的にユーザのデジタルシステム手帳に配信することや、各種プロモーション用のリフィルを配布すること、Ｗｅｂを連携したプロモーション等が、全てデジタルシステム手帳を媒介として煩雑な作業を伴うことなく実現される。
【００３５】
また、シールや電子スタンプ等にＷｅｂサイトのＵＲＬや各種データを含めることでコミュニケーションがより一層活性化される。
【００３６】
以上、本発明の実施の形態について説明したが、本発明はこれに限定されることなくその趣旨を逸脱しない範囲で種々の改良・変更が可能であることは勿論である。
【００３７】
例えば、購入した商品に付されている応募ナンバーをデジタルシステム手帳経由で入力した場合にのみ専用のＷｅｂページにアクセス可能とすることもできる。
【００３８】
さらに、ゲームリフィルで勝者となったもののみがデジタルシステム手帳経由でサービス提供者のサーバに送信し応募券を取得できるようなサービスの応用も可能である。
【００３９】
このほか、多種多様な２ウェイ・コミュニケーションを実現するためのツールとして本デジタルシステム手帳は幅広く適用可能である。
【図面の簡単な説明】
【００４０】
【図１】本発明の一実施の形態に係るデジタルシステム手帳及びそれを用いたコミュニケーションシステムの構成を示す図である。
【図２】制御プログラム１２１の第１乃至第４の機能について、更に具現化した一例を詳細に説明する概念図である。
【図３】日間スケジュール画面１００の構成例を示す図である。
【図４】週間スケジュール画面２００の構成例を示す図である。
【図５】月間スケジュール画面３００の構成例を示す図である。
【図６】第１の機能１２１ａのリフィル追加変更機能により表示されるリフィル設定画面４００を示す図である。
【図７】第１の機能１２１ａのスキン追加変更機能により表示されるスキン設定画面５００を示す図である。
【図８】第１の機能１２１ａのデジタルシステム手帳機能による絵日記の作成について示す概念図である。
【図９】記憶部１５にて各種情報を記憶する階層構造の一例を示す図である。
【図１０】本実施の形態に係るデジタルシステム手帳５３及びそれを用いたコミュニケーションシステムを用いた実施例について更に詳細に説明する概念図である。
【図１１】クライアント企業として学習塾を想定し、当該学習塾とユーザとのコミュニケーションを本コミュニケーションシステムにより実現する場合のユーザ端末１側の処理の流れを説明するフローチャートである。
【図１２】クライアント企業として学習塾を想定し、当該学習塾とユーザとのコミュニケーションを本コミュニケーションシステムにより実現する場合のユーザ端末１側の処理の流れを説明する概念図である。
【図１３】電子スタンプの情報にユーザへのアドバイス表示用のデータを含め、当該電子スタンプがクリックされた場合に、当該アドバイス表示用の画面を表示部１３に表示する場合の概念図である。
【符号の説明】
【００４１】
１・・・ユーザ端末、２・・・サーバ、３・・・サーバ、４・・・インターネット、１１・・・通信制御部、１２・・・制御部、１３・・・表示部、１４・・・操作入力部、１５・・・記憶部、１２１・・・制御プログラム、１２１ａ・・・第１の機能、１２１ｂ・・・第２の機能、１２１ｃ・・・第３の機能、１２１ｄ・・・第４の機能、５３・・・デジタルシステム手帳。
【図１】
2006301686.tif 000003
【図２】
2006301686.tif 000004
【図３】
2006301686.tif 000005
【図４】
2006301686.tif 000006
【図５】
2006301686.tif 000007
【図６】
2006301686.tif 000008
【図７】
2006301686.tif 000009
【図８】
2006301686.tif 000010
【図９】
2006301686.tif 000011
【図１０】
2006301686.tif 000012
【図１１】
2006301686.tif 000013
【図１２】
2006301686.tif 000014
【図１３】
2006301686.tif 000015